(57)【要約】【課題】、本発明は、操作者にどれくらい切削したかの切削量を打撃的切削感覚によって確認しながら切削させることで操作性を向上できるハンドピース型高周波振動式切削装置を提供する。【解決手段】ハンドピース型高周波振動式切削装置は、ハウジング１０と、加振装置２１と、保持部材１１と、工具１２と、加振装置２１のそれぞれの動作を制御することにより、振動させる制御装置２０とを備えている。制御装置２０が、加振装置２１による工具１２の振動を、停止と振動を繰り返すバースト発振に制御し、かつ、保持部材１１が振動しているバースト期間と工具１２が停止している停止期間とを合わせて１周期とする全体の前記工具１２のバースト周波数ｆ１を、１〜８［Ｈｚ］の範囲に制御し、バースト期間の工具１２の振動周波数ｆ２を２０〜６０［ｋＨｚ］の範囲に制御する。【選択図】図１
2019088452.tif 000002
【特許請求の範囲】
【請求項１】
ハウジングと、
当該ハウジングに設けられた加振装置と、
当該加振装置に設けられた工具と、
前記加振装置の動作を制御することにより、前記工具を前記加振装置の軸線の方向に振動させる制御装置と、を備えているハンドピース型高周波振動式切削装置であって、
前記制御装置が、前記加振装置による前記工具の振動を、停止と振動を繰り返すバースト発振に制御し、かつ、
前記工具が振動しているバースト期間と前記工具が停止している停止期間とを合わせて１周期とする全体の前記工具のバースト周波数ｆ１を、１〜８［Ｈｚ］の範囲に制御し、前記バースト周波数ｆ１のパルス幅ｔ１をパルス周期Ｔ１で除算したデューティー比ｄ１を、５〜５０［％］の範囲に制御し、前記バースト期間の前記工具の振動周波数ｆ２を２０〜６０［ｋＨｚ］の範囲に制御することを特徴とするハンドピース型高周波振動式切削装置。
【請求項２】
請求項１記載のハンドピース型高周波振動式切削装置において、
前記制御装置が、前記バースト周波数ｆ１を１〜４［Ｈｚ］の範囲に狭めて制御し、前記デューティー比ｄ１を、１０〜２５［％］の範囲に狭めて制御することを特徴とするハンドピース型高周波振動式切削装置。
【請求項３】
請求項１又は請求項２記載のハンドピース型高周波振動式切削装置において、
前記ハンドピースを構成するハウジングには、前記操作者に向けて音又は光を出力する出力部が備えられ、
前記制御装置が、前記バースト発振の周期（１／ｆ１）の整数１〜５０倍の周期で音又は光を出力するように前記出力部を制御することを特徴とするハンドピース型高周波振動式切削装置。
【請求項４】
請求項１から請求項３のいずれか１項記載のハンドピース型高周波振動式切削装置において、
前記ハンドピースを構成するハウジングには、前記制御部に制御されて前記ハウジングを振動する振動子が備えられ、
前記制御装置が、前記バースト発振の周期（１／ｆ１）の整数１〜５０倍の周期で振動し、かつ、前記加振装置の振動方向に対して垂直方向に振動するように、前記振動子を制御することを特徴とするハンドピース型高周波振動式切削装置。
【発明の詳細な説明】
【技術分野】
【０００１】
本発明は、ハンドピースに取り付けられた切削工具等に高周波振動を伝搬することにより、対象物の切削加工を効率良く行うことができる高周波振動式切削装置に関する。
【背景技術】
【０００２】
ハンドピース内部のタングに加振装置を設け、この加振装置によってタングを振動させることで、タングに取付けられた切削工具を高周波振動させて、切削加工効率を向上させ、かつ、加工精度の向上を図ることができるハンドピースタイプの高周波振動式切削装置が提案されている（例えば、特許文献１および特許文献２参照）。
【先行技術文献】
【特許文献】
【０００３】
【特許文献１】特開２００１−２０４７３５号公報
【特許文献２】特許第３５５３４８６号公報
【発明の概要】
【発明が解決しようとする課題】
【０００４】
特許文献１の高周波振動式切削装置では、口腔外科手術時の骨組織を切削等する際に、加振装置で、高周波振動によって、又は低周波数に変調された振動によって、又は一連の低周波バースト振動によって、切削工具を振動状態にさせる。高周波振動によって骨組織の正確な切削を行うとともに、一連の低周波バースト振動へ変調することによって切削工具の振動によるエネルギを放散させることにより、柔軟な組織上で発生する熱を最小限にすることができる。
【０００５】
特許文献２の力学的麻酔件患部分離装置では、２０〜１００［ｋＨｚ］の超音波振動を発振する超音波発振器と、低周波振動を発振する低周波振動発振器とを備えている。力学麻酔を行うように超音波振動発振器のみを作動させる作動状態において、超音波振動に加えて低周波振動させる変調作動状態により、患部接触子に力を入れなければならない状態が予測されるときには、低周波振動により歯根膜を切断して歯牙を歯槽骨から分離することを容易にし、患部接触子に大きな力を加えずに患部の分離を超音波振動を停止させることなく行う。
【０００６】
しかし、口腔外科手術での対象物の切削加工時に、高周波振動式切削装置の操作性を向上させるためには、特許文献１のように骨組織自体を高周波振動によって正確に切削すること、および一連の低周波振動で発生する熱を最小限にすることや、特許文献２のように低周波振動により歯根膜を切断して歯牙を歯槽骨から分離することを容易にするだけでなく、操作者に感覚的にどれくらい切削したかの切削量を打撃的切削感覚で確認させることが好ましい。
【０００７】
そこで、本発明は、操作者にどれくらい切削したかの切削量を打撃的切削感覚によって確認しながら切削させることで操作性を向上できるハンドピース型高周波振動式切削装置を提供することを目的とする。
【課題を解決するための手段】
【０００８】
［１］上記目的を達成するため、本発明のハンドピース型高周波振動式切削装置は、
ハウジングと、
当該ハウジングに設けられた加振装置と、
当該加振装置に設けられた工具と、
前記加振装置の動作を制御することにより、前記工具を前記加振装置の軸線の方向に振動させる制御装置と、を備えているハンドピース型高周波振動式切削装置であって、
前記制御装置が、前記加振装置による前記工具の振動を、停止と振動を繰り返すバースト発振に制御し、かつ、
前記工具が振動しているバースト期間と前記工具が停止している停止期間とを合わせて１周期とする全体の前記工具のバースト周波数ｆ１を、１〜８［Ｈｚ］の範囲に制御し、前記バースト周波数ｆ１のパルス幅ｔ１をパルス周期Ｔ１で除算したデューティー比ｄ１を、５〜５０［％］の範囲に制御し、前記バースト期間の前記工具の振動周波数ｆ２を２０〜６０［ｋＨｚ］の範囲に制御することを特徴とする。
【０００９】
かかる構成によれば、ハウジングに設けられた加振装置によって、当該加振装置に設けられた工具を振動させる。制御装置が、加振装置による工具の振動を停止と振動を繰り返すバースト発振に制御する。具体的には、制御装置が、工具のバースト周波数ｆ１を操作者がバースト期間と停止期間の周期を認識可能な低周波数である、１〜８［Ｈｚ］の範囲に制御し、バースト周波数のパルス幅ｔ１をパルス周期Ｔ１で除算したデューティー比ｄ１を、５〜５０［％］の範囲に制御する。このため、操作者にノミをハンマーで叩いているような感覚も与えて、どれくらい切削したかという切削量の目安を、バースト周波数ｆ１による打撃の周期とそれによる打撃的切削感覚によって、正確に確認しながら被加工物を切削させることで操作性を向上できる。工具を少しずつ段階的に目的の深さに被加工物を切削しながら入れることができる。また、制御装置が、バースト期間の前記工具の振動周波数ｆ２を２０〜６０［ｋＨｚ］の範囲に制御するので、高周波振動によって正確な切削を行うことができる。
【００１０】
［２］また、本発明のハンドピース型高周波振動式切削装置において、前記制御装置が、前記バースト周波数ｆ１を１〜４［Ｈｚ］の範囲に狭めて制御し、前記デューティー比ｄ１を、１０〜２５［％］の範囲に狭めて制御することが好ましい。
【００１１】
かかる構成によれば、制御装置が、バースト周波数ｆ１を１〜４［Ｈｚ］の範囲に制御し、前記デューティー比ｄ１を、１０〜２５［％］の範囲に狭めて制御するので、操作者がバースト期間と停止期間の周期をより認識し易くなる。結果、操作者にノミをハンマーで叩いているような音などによる感覚をより明確に与えて、打撃的切削感覚を認識し易くさせ、より操作性を向上することができる。
【００１２】
［３］また、本発明のハンドピース型高周波振動式切削装置において、前記ハンドピースを構成するハウジングには、前記操作者に向けて音又は光を出力する出力部が備えられ、前記制御装置が、前記バースト発振の周期（１／ｆ１）の整数１〜５０倍の周期で音又は光を出力するように前記出力部を制御することが好ましい。
【００１３】
かかる構成によれば、音又は光を出力する出力部がハンドピースのハウジングに備えられているので、操作者が音又は光を外部から認識し易い。そして、制御装置が、バースト発振の周期（１／ｆ１）の整数１〜５０倍の周期で音又は光を出力するように出力部を制御するので、操作者が音又は光の出力間隔から切削量の目安をつけることができ、操作者により適切な切削感覚を覚えさせ、操作性をより向上させることができる。
【００１４】
［４］また、本発明のハンドピース型高周波振動式切削装置において、前記ハンドピースを構成するハウジングには、前記制御部に制御されて前記ハウジングを振動する振動子が備えられ、前記制御装置が、前記バースト発振の周期（１／ｆ１）の整数１〜５０倍の周期で振動し、かつ、前記加振装置の振動方向に対して垂直方向に振動するように、前記振動子を制御することが好ましい。
【００１５】
かかる構成によれば、ハウジングを振動する振動子がハンドピースを構成するハウジングに備えられているので、操作者がハウジングの振動を認識することができる。そして、制御装置が、バースト発振の周期（１／ｆ１）の整数１〜５０倍の周期で振動し、かつ、前記加振装置の振動方向に対して垂直方向に振動するように、振動子を制御するので、操作者が切削の邪魔にならない微弱なハウジングの振動間隔から切削感覚を得ることができ、操作者により適切な切削感覚を覚えさせ操作性をより向上させることができる。
【図面の簡単な説明】
【００１６】
【図１】本発明の第１実施形態としてのハンドピース型高周波振動式切削装置の構成に関する説明図。
【図２】本発明の第２実施形態としてのハンドピース型高周波振動式切削装置の構成に関する説明図。
【図３】本発明のハンドピース型高周波振動式切削装置の作用結果の説明図。
【図４】図４Ａは本発明の全体として矩形波に変調されたバースト周波数の波形の説明図。図４Ｂは比較例の全体としてｓｉｎ波に変調されたバースト周波数の波形の説明図。
【図５】図５Ａは本発明の時間経過と被加工物の切削状態に関する説明図。図５Ｂは比較例の時間経過と被加工物の切削状態に関する説明図。
【図６】図６Ａは本発明の時間経過と切削量に関する図。図６Ｂは比較例の時間経過と切削量に関する図。
【発明を実施するための形態】
【００１７】
（第１実施形態）
図１に示されている本発明の第１実施形態としてのハンドピース型高周波振動式切削装置は、ハンドピースを構成する略円筒状のハウジング１０と、保持部材１１と、工具１２と、制御装置２０と、加振装置２１とを備えている。
【００１８】
ハウジング１０は、通常の人間が片手で持てる程度のサイズに設計されている。ハウジング１０およびその内部空間に少なくとも一部が配置される保持部材１１等の構成要素により高周波振動式切削装置のハンドピースが構成されているが、当該ハンドピースを取り扱いの簡便性のために軽量化する観点から、当該構成要素の種類および仕様が適当に選定されてもよい。
【００１９】
保持部材１１は、その後端部が加振装置２１に対して取り付けられ、ハウジング１０の内側壁に対して固定されている支持部１１２、１１４を介してハウジング１０に軸線方向移動自在に支持されている。保持部材１１は、振幅を増大するホーンとしての機能を有している。工具１２は、保持部材１１の先端部に対して脱着自在に取り付けられている。保持部材１１の軸線方向に対して垂直な方向について工具１２のサイズは、例えば１〜１０［ｍｍ］または２〜５［ｍｍ］の範囲に含まれている。工具１２の形状としては、先端が直線状、円弧状の刃物や、略円柱状、匙状、屈曲または湾曲したロッド状などの任意の形状が採用される。
【００２０】
加振装置２１は、ハウジング１０の取付部１０ａに対して取り付けられ、ハウジング１０の内部空間に配置されている圧電素子により構成され、保持部材１１をその軸線方向に振動させるまたは往復駆動する。ハウジング１０の後端部に取り付けられているケーブル２４およびハウジング１０の内部空間に配置されている制御装置２０および導線を通じて加振装置２１に対して電力が供給される。
【００２１】
加振装置２１および保持部材１１は、それぞれの軸線が共通するように、かつ、それぞれの軸線方向について離間して配置されているため、当該軸線が平行に離間してまたは非平行に配置されている場合と比較して、当該軸線に対して垂直な方向について、ハウジング１０の内部空間における加振装置２１および保持部材１１の占有スペース、ひいてはハウジング１０のコンパクト化が図られる。これにより、持ちやすさおよび操作性の向上が図られたハンドピースとして高周波振動式切削装置が構成されうる。
【００２２】
加振装置２１の力が、伝動機構が用いられることなく保持部材１１に対して直接的に伝えられるため、一般的に当該伝動機構に用いられるグリス等の潤滑剤が不要になる。よって、医療機器としての高周波振動式切削装置が高圧水蒸気によって滅菌処理される場合、潤滑剤の存在に由来する当該医療機器のコンタミネーションが生じる事態が回避される。
【００２３】
制御装置２０は、加振装置２１の動作を制御する。制御装置２０を構成するマイクロコンピュータまたはプロセッサは、これが実装されている基板とともにハウジング１０の内部空間に配置されている。制御装置２０は、加振装置２１による保持部材１１を介しての工具１２の軸線方向の振動周波数ｆ２が２０〜６０［ｋＨｚ］の範囲に含まれるように制御する。ｆ２＝２５〜３５［ｋＨｚ］に制御されることがより好ましい。
【００２４】
さらに、制御装置２０が、加振装置２１による工具１２の振動を、停止と振動を繰り返すバースト発振に制御し、かつ、工具１２が振動しているバースト期間と、工具１２が停止している停止期間とを合わせて１周期とする全体の工具１２のバースト周波数ｆ１を、操作者がバースト期間と停止期間の周期を認識可能な低周波数に制御する。
【００２５】
前記構成のハンドピース型高周波振動式切削装置によれば、保持部材１１がその軸線方向に往復駆動されることにより、当該保持部材１１の先端部に設けられている工具１２によって対象物が切削される。
【００２６】
制御装置２０が、加振装置２１による工具１２の振動を停止と振動を繰り返すバースト発振に制御する。
【００２７】
具体的には、制御装置２０が、工具１２のバースト周波数ｆ１を操作者がバースト期間と停止期間の周期を認識可能な低周波数である、１〜８［Ｈｚ］の範囲に制御し、バースト周波数のパルス幅ｔ１をパルス周期Ｔ１で除算したデューティー比ｄ１を、５〜５０［％］の範囲に制御する。このため、操作者にノミをハンマーで叩いているような音の感覚も与えて、どれくらい切削したかという切削量の目安を、バースト周波数ｆ１による打撃の周期とそれによる打撃的切削感覚によって、正確に確認しながら被加工物を切削させることで操作性を向上させ、工具を少しずつ段階的に目的の深さに被加工物を切削しながら入れることができる。
【００２８】
より好ましい周波数としては、制御装置２０が、バースト期間の工具１２の振動周波数ｆ２を２０〜６０［ｋＨｚ］の範囲に制御し、バースト周波数ｆ１を１〜４［Ｈｚ］の範囲に制御し、デューティー比ｄ１を、１０〜２５［％］の範囲に狭めて制御する。
【００２９】
次にハンドピース型高周波振動式切削装置の工具１２の振動周波数ｆ２の作用結果について説明する。制御装置２０が、バースト期間の工具１２の振動周波数ｆ２を２０〜６０［ｋＨｚ］の範囲に制御することで、高周波振動によって正確な切削を行うことができる。
【００３０】
次にハンドピース型高周波振動式切削装置の工具１２のバースト周波数ｆ１の作用結果について説明する。図３は、バースト周波数ｆ１による、操作者の切削感覚と完全停止感覚についての結果である。バースト周波数ｆ１を０．１［Ｈｚ］〜１４［Ｈｚ］まで段階的に変化させ、操作者が感じる切削感覚が、悪い結果を×、あまり良くない結果を△、良い結果を○、より良い結果を◎とした。
【００３１】
操作者が感じる切削感覚については、バースト周波数ｆ１を、０．５［Ｈｚ］、５［Ｈｚ］〜８［Ｈｚ］としたときの結果が○であり、バースト周波数ｆ１を、１［Ｈｚ］〜４［Ｈｚ］としたときの結果が◎であった。
【００３２】
操作者が完全に止まったような感じを得る完全停止感覚については、バースト周波数ｆ１を、０．５［Ｈｚ］としたときの結果が△であり、１［Ｈｚ］〜１４［Ｈｚ］としたときの結果が○であった。
【００３３】
以上の結果により、低周波のバースト周波数ｆ１を１〜８［Ｈｚ］の範囲に制御するので、１［Ｈｚ］以上で操作者が完全停止状態になったとの誤認を防ぐことができ、８［Ｈｚ］以下で操作者がバースト期間と停止期間の周期を認識できる。
【００３４】
さらには、制御装置２０が、バースト周波数ｆ１を１〜４［Ｈｚ］の範囲に制御し、デューティー比ｄ１を、１０〜２５［％］の範囲に狭めて制御する。このため、バースト周波数ｆ１が１［Ｈｚ］以上で操作者が停止状態になったとの誤認を防ぐことができ、４［Ｈｚ］以下で操作者がバースト期間と停止期間の周期をより違いを認識し易くなり、さらにデューティー比ｄ１を、１０〜２５［％］の範囲に狭めて制御することで、操作者により適切な切削感覚を覚えさせることでき、操作性をより向上させることができる。結果、操作者にノミでハンマーを叩いているような音の感覚などをより明確に与えて、打撃的切削感覚を認識し易くさせ、より操作性を向上させることができる。
【００３５】
次にバースト波の波形について説明する。図４Ａは本発明係る実施形態の全体として矩形波に変調されたバースト周波数の波形の説明図であり、工具１２（図１参照）が振動しているバースト期間ｔ１と、工具１２が停止している停止期間（Ｔ１−ｔ１）とを合わせて１周期Ｔ１とする。デューティー比ｄ１は、バースト周波数のパルス幅ｔ１をパルス周期Ｔ１で除算した値である。
【００３６】
制御装置２０（図１参照）は、加振装置２１（図１参照）による保持部材１１の軸線方向の振動周波数ｆ２が例えば２０〜６０［ｋＨｚ］の範囲に含まれるように加振装置２１を高周波に制御するとともに、バースト波を全体として矩形波に変調されたように加振装置２１を制御する。全体としてのバースト波は、制御装置２０によってバースト周波数ｆ１が１〜８［Ｈｚ］の範囲に制御され、デューティー比ｄ１が５〜５０［％］の範囲に制御されている。
【００３７】
図４Ａでは、バースト波が全体として矩形波に変調されている。このため、操作者は、工具１２をハンマーで叩いているような打撃的切削感覚を認識することができる。
【００３８】
次に比較例のバースト波の波形について説明する。図４Ｂは比較例の全体としてｓｉｎ波に変調されたバースト周波数の波形の説明図である。バースト波そのものは高周波であるが、バースト波の波形全体としては、低周波数に変調された超音波によるｓｉｎ波である。このため、操作者はバースト波全体としては、工具の停止期間と振動期間の差を感じることができず、打撃的切削感覚を認識することができない。
【００３９】
次に時間経過と被加工物の切削状態とについて説明する。図５Ａは本発明に係る実施形態の時間経過と被加工物の切削状態に関する説明図である。切削開始から、Ｔ１[ｓ]時間経過すると、工具１２により被加工物４０が切削量Ｌ１だけ切削される。（４／３）×Ｔ１[ｓ]時間経過後および（５／３）×Ｔ１[ｓ]時間経過後ともに、それ以上は切削されず切削量はＬ１のままである。
【００４０】
２×Ｔ１[ｓ]時間経過すると、さらに工具１２により被加工物４０が切削され切削量がＬ２となる。（７／３）×Ｔ１[ｓ]時間経過後および（８／３）×Ｔ１[ｓ]時間経過後ともに、それ以上は切削されず切削量はＬ２のままである。
【００４１】
３×Ｔ１[ｓ]時間経過すると、さらに工具１２により被加工物４０が切削され切削量がＬ３となる。このように、工具１２を少しずつ段階的に目的の深さに被加工物４０を切削しながら入れることができる。操作者は、工具１２をハンマーで叩いているような打撃的切削感覚を認識することができ、どれくらい切削したかという切削量の目安を、バースト周波数ｆ１による打撃の周期とそれによる打撃的切削感覚によって、正確に確認しながら被加工物４０を切削させることで操作性を向上できる。
【００４２】
次に比較例の時間経過と被加工物の切削状態について説明する。図５Ｂは比較例の時間経過と被加工物の切削状態に関する説明図であり、切削開始から、Ｔ１[ｓ]時間経過すると、工具１２により被加工物４０が切削量Ｌ１だけ切削される。（４／３）×Ｔ１[ｓ]時間経過後はさらに切削されて切削量がＬ１ａとなり、（５／３）×Ｔ１[ｓ]時間経過後はさらに切削されて切削量がＬ１ｂとなる。
【００４３】
２×Ｔ１[ｓ]時間経過すると、さらに工具１２により被加工物４０が切削され切削量がＬ２となる。（７／３）×Ｔ１[ｓ]時間経過後はさらに切削されて切削量がＬ２ａとなり、（８／３）×Ｔ１[ｓ]時間経過後はさらに切削されて切削量がＬ２ｂとなる。
【００４４】
３×Ｔ１[ｓ]時間経過すると、さらに工具１２により被加工物４０が切削され切削量がＬ３となる。このように、比較例では、時間経過に比例して切削量が円滑に増加するので、打撃的切削感覚を確認することができない。
【００４５】
次に時間経過を切削量をグラフで説明する。図６Ａは本発明に係る実施形態の時間経過と切削量に関する図であり、バースト周期Ｔ１、２×Ｔ１、３×Ｔ１、とバースト周期Ｔ１が経過するごとに、切削量がＬ１、Ｌ２、Ｌ３と段階的に増加する。
【００４６】
これに対して、図６Ｂは比較例の時間経過と切削量に関する図であり、時間がＴ１、２×Ｔ１、３×Ｔ１と経過するに従い、切削量がＬ１、Ｌ２、Ｌ３と直線的に比例して増加する。
【００４７】
（第２実施形態）
次に本発明の第２実施形態を説明する。なお、第１実施形態と同様の構成については、説明を省略し、符号を流用するものとする。図２に示すように、本発明の第２実施形態としてのハンドピース型高周波振動式切削装置は、ハウジング１０の後端部に出力部３０を備え、ハウジング１０の外周部に振動子３１を備えている。出力部３０および振動子３１は、ケーブル２４から制御装置２０を介して接続されることで給電される。また、出力部３０および振動子３１は、制御装置２０に配線（不図示）を介して接続され、制御装置２０に出力を制御される。
【００４８】
出力部３０は、音を出力する小型のスピーカである。制御装置２０が、バースト発振の周期（１／ｆ１）の整数１〜５０倍の周期で音又は光を出力するように出力部３０を制御する。このため、操作者は、聴覚によって音の出力間隔から切削量の目安をつけることができ、操作者により適切な切削感覚を覚えさせ、操作性をより向上させることができる。
【００４９】
なお、出力部３０から音を発する周波数ｆ３を、バースト周波数ｆ１に合わせることでも、切削感覚を感じやすくし、操作性をより向上させることができる。
【００５０】
なお、実施形態では、出力部３０をスピーカとしたが、出力部３０は光を出力する光源としてもよい。制御装置２０が、バースト発振の周期（１／ｆ１）の整数１〜５０倍の周期で光を出力するように出力部３０を制御する。出力部３０を光源とした場合は、視覚によって切削の程度を認識することができ、ハンドピース型高周波振動式切削装置の操作性を向上させることができる。
【００５１】
このように、音又は光を出力する出力部３０がハンドピース１１のハウジング１０に備えられているので、操作者が音又は光を外部から認識し易い。そして、制御装置２０が、所定の間隔で音又は光を出力するように出力部を制御するので、操作者が音又は光の出力間隔から切削量の目安をつけることができ、操作者により適切な切削感覚を伝えて操作性をより向上させることができる。
【００５２】
また、ハウジング１０を振動させる振動子３１がハンドピースを構成するハウジング１０に備えられているので、操作者が切削の邪魔にならない微弱なハウジング１０の振動を認識することができる。この場合、制御装置２０は、バースト発振の周期（１／ｆ１）の整数１〜５０倍の周期で振動し、かつ、加振装置２１の振動方向に対して垂直方向に振動するように、振動子３１を制御することが好ましい。操作者がハウジング１０の振動間隔から切削感覚を得ることができ、操作者により適切な切削感覚を伝えて操作性をより向上させることができる。さらに、振動子３１の振動の周波数ｆ４を、バースト周波数ｆ１に合わせることで、より切削感覚を感じやすくし、操作性をより向上させることができる。
【００５３】
なお、高周波振動式切削装置が、工具１２のタイプをユーザに入力させるための入力インターフェースをさらに備え、制御装置２０が、入力インターフェースを通じて入力された工具のタイプの別に応じて、工具１２の振動周波数ｆ２および回転速度ｖの組み合わせ態様を調節してもよい。例えば、入力インターフェースは、例えば、キーボード、タッチパネル式のボタンまたは操作ボタン等により構成されてもよい。
【００５４】
また、加振装置２１、出力部（スピーカ、光源）３０及び振動子３１を選択的に選び制御する構成としてもよい。また、高周波振動式切削装置に、加振装置２１、出力部（スピーカ、光源）３０及び振動子３１の中から１つ以上備える構成としてもよい。
【００５５】
また、実施形態では、制御装置２０が出力部３０の出力及び振動子３１の振動を、バースト発振の周期（１／ｆ１）の整数１〜５０倍の周期となるようにしたが、これに限定されず、いわゆる（１／ｆ）揺らぎと呼ばれる操作者が快適性を感じる周期や、操作者が切削量の目安を認識できる周期に制御しても差し支えない。
【符号の説明】
【００５６】
１０‥ハウジング、１１‥保持部材、１２‥工具、２０‥制御装置、２１‥加振装置、３０‥出力部、３１‥振動子。
【図１】
2019088452.tif 000003
【図２】
2019088452.tif 000004
【図３】
2019088452.tif 000005
【図４】
2019088452.tif 000006
【図５】
2019088452.tif 000007
【図６】
2019088452.tif 000008